(57)【要約】【課題】操作者による利用頻度の高い機能表示を有する操作部を習慣的に操作することにより、さらに便利な推奨機能を実行することが可能な情報処理装置を提供すること。【解決手段】機能表示Ｃ１〜Ｃ４を有し、操作者によって操作される複数の操作部Ｂ１〜Ｂ４を表示可能な表示制御手段と、操作者による操作部Ｂ１〜Ｂ４の操作履歴を記憶する操作履歴記憶手段とを備え、表示制御手段は、操作履歴に基づいて操作者の利用頻度の高い機能表示Ｃ１を判定し、利用頻度の高い機能表示Ｃ１を有する操作部Ｂ１に、より便利な推奨機能を実行するための他の機能表示Ｃ５，Ｃ１を有する操作部Ｂ５を割り当てる構成とする。これにより、操作者は利用頻度の高い機能表示Ｃ１を有する操作部Ｂ１を習慣的に操作することで、さらに便利な推奨機能を実行することができる。【選択図】図２
2010198088.tif 000002
【特許請求の範囲】
【請求項１】
機能表示を有し、操作者によって操作される複数の操作部を表示可能な表示制御手段と、
前記操作者による前記操作部の操作履歴を記憶する操作履歴記憶手段と、を備え、
前記表示制御手段は、
前記操作履歴に基づいて操作者の利用頻度の高い機能表示を判定し、利用頻度の高い機能表示を有する前記操作部に、推奨機能を実行するための他の機能表示を割り当てることを特徴とする情報処理装置。
【発明の詳細な説明】
【技術分野】
【０００１】
本発明は、情報処理装置に関する。
【背景技術】
【０００２】
従来、印刷装置の入力操作ガイド表示方法として、特開２００７−１０５９９６号公報がある。この公報に記載された表示方法では、印刷装置に搭載されている機能の中でオペレータによく選択される機能のガイドの代わりにあまり使用されていない機能に関するガイドを表示している。これにより、多用されていない機能を、ユーザに対して積極的に紹介することができる。
【０００３】
また、機能習得度管理装置として、ユーザの習熟度に応じて、新しい別機能を推奨するものがある（例えば、特許文献２参照）。また、情報処理装置として、それぞれ所定の機能が割り当てられた複数の選択ボタンを配置したカスタムメニュー画面において、ユーザの過去の使用回数が多い機能や、操作時間が多い機能を前記選択ボタンに優先的に割り当てるものがある（例えば、特許文献３参照）。
【先行技術文献】
【特許文献】
【０００４】
【特許文献１】特開２００７−１０５９９６号公報
【特許文献２】特開２００８−２４３０８８号公報
【特許文献３】特開２００８−２１７４１７号公報
【発明の概要】
【発明が解決しようとする課題】
【０００５】
しかしながら、上記特許文献に記載の技術では、あまり使用されていない機能に関するガイド画面を表示した場合、ガイド画面によりユーザの操作を邪魔してしまう可能性があるため、ユーザは煩わしさを感じることがあった。
【０００６】
本発明は、このような課題を解決するために成されたものであり、操作者による利用頻度の高い機能表示を有する操作部を習慣的に操作することにより、さらに便利な推奨機能を実行することが可能な情報処理装置を提供することを目的とする。
【課題を解決するための手段】
【０００７】
本発明による情報処理装置は、機能表示を有し、操作者によって操作される複数の操作部を表示可能な表示制御手段と、操作者による操作部の操作履歴を記憶する操作履歴記憶手段と、を備え、表示制御手段は、操作履歴に基づいて操作者の利用頻度の高い機能表示を判定し、利用頻度の高い機能表示を有する操作部に、推奨機能を実行するための他の機能表示を割り当てることを特徴としている。
【０００８】
このような情報処理装置によれば、機能表示を有し、操作者によって操作される複数の操作部を表示可能な表示制御手段と、操作者による操作部の操作履歴を記憶する操作履歴記憶手段とを備え、表示制御手段は、操作履歴に基づいて操作者の利用頻度の高い機能表示を判定し、利用頻度の高い機能表示を有する操作部に、より便利な推奨機能を実行するための他の機能表示を有する操作部を割り当てることが可能となる。これにより、操作者は利用頻度の高い機能表示を有する操作部を習慣的に操作することで、さらに便利な推奨機能を実行することができる。
【発明の効果】
【０００９】
本発明の情報処理装置によれば、操作者による利用頻度の高い機能表示を有する操作部を習慣的に操作することにより、さらに便利な推奨機能を実行することができる。
【図面の簡単な説明】
【００１０】
【図１】本発明の実施形態に係る車載機のブロック構成図である。
【図２】目的地設定メニュー画面の一例を示す図である。
【図３】表示制御処理の手順を示すフローチャートである。
【図４】別機能を提案する際の提示方法の変形例を示す図である。
【図５】別機能を提案する際の提示方法の変形例を示す図である。
【発明を実施するための形態】
【００１１】
以下、本発明による情報処理装置の好適な実施形態について図面を参照しながら説明する。なお、図面の説明において同一または相当要素には同一の符号を付し、重複する説明は省略する。本実施形態では、ナビゲーション機能を有する車載機への適用について説明する。
【００１２】
図１に示す車載機１００は、表示部１１０、ナビ機能部１２０、デバイス部１３０を備えている。これらの表示部１１０、ナビ機能部１２０、デバイス部１３０は、電気的に接続されている。車載機１００は、車両の現在位置を取得して、目的地までの経路案内を行うナビゲーションシステムとして機能するものである。
【００１３】
デバイス部１３０は、ディスプレイ（画像表示手段）１３１、スピーカ１３２、マイク１３２を備えている。ディスプレイ１３１は、利用者に対して画面表示による情報提供や、利用者のタッチ操作を受け取るデバイスである。ディスプレイ１３１は、図２に示すように、目的地設定メニュー画面Ａ１，Ａ２を表示することが可能であり、目的地設定メニュー画面Ａ１，Ａ２には、機能表示Ｃ１〜Ｃ５を有する複数の選択ボタンＢ１〜Ｂ５が表示される。詳しくは後述する。なお、ここでいう「選択ボタン」は、ディスプレイ１３１に表示された画像である。
【００１４】
ナビ機能部１２０は、ナビゲーションシステムの各種機能を制御するものである。ナビゲーションシステムの各種機能としては、例えば、名称検索機能、地図表示機能、経路案内機能などがある。ここでは、本発明に関連する機能のみ具体例として以下に記載する。ナビ機能部１２０は、タッチ入力による名称検索機能部１２１、音声による名称検索機能部１２２を有する。
【００１５】
タッチ入力による名称検索機能部１２１は、タッチ入力により目的地候補となる施設名称を入力する機能、目的地を検索する機能、目的地を設定する機能を制御する。音声による名称検索機能部１２２は、音声認識により目的地を検索する機能、目的地を設定する機能を制御する。
【００１６】
表示部１１０は、ディスプレイ１３１による画像表示を制御するものであり、画面制御部１１１、切替判断部１１２、操作履歴ＤＢ１１３、画像ＤＢ１１４を備える。
【００１７】
画面制御部１１１は、画面の表示を行うと共に、利用者からの操作（タッチ）の情報を受け取り、表示の切替やナビ機能の呼び出しを行う。
【００１８】
切替判断部１１２は、操作履歴ＤＢ１１３に蓄積された操作履歴を参照し、「別機能提案」を実施するか否かの判断を行う。「別機能提案」とは、利用者にとって、より便利な機能（推奨される機能）を提案するものである。
【００１９】
操作履歴ＤＢ１１３は、利用者が行った操作履歴を蓄積するデータベースである。具体的には、ナビ機能部１２０が提供する各種機能（「タッチ入力による名称検索機能」など）の呼び出し日時を記録する。
【００２０】
画像ＤＢ１１４は、利用者に対して表示される画面（目的地設定メニュー画面など）に関する画像情報を記憶するデータベースである。
【００２１】
車載機１００では、利用者が、目的地を設定するために、（タッチ入力による）名称検索機能を使い慣れたと判断した場合、目的地設定メニュー画面の（タッチ入力による）「名称検索」選択ボタンＢ１を、「音声による名称検索」選択ボタンＢ５に置き換えることができる。
【００２２】
図２は、目的地設定メニュー画面の一例を示す図である。図２（ａ）は、「通常表示状態」の目的地設定メニュー画面であり、図２（ｂ）は、「別機能提案  表示状態」の目的地設定メニュー画面である。図２（ａ）に示す目的地設定メニュー画面Ａ１では、複数の選択ボタンＢ１〜Ｂ４が表示されている。選択ボタンＢ１には、機能表示「名称検索」Ｃ１が表示され、選択ボタンＢ２には、機能表示「住所検索」Ｃ２が表示され、選択ボタンＢ３には、機能表示「施設検索」Ｃ３が表示され、選択ボタンＢ４には、機能表示「電話番号検索」Ｃ４が表示されている。利用者は、機能表示を有する選択ボタンをタッチすることで、検索機能を選択することができる。目的地設定メニュー画面Ａ１において、利用者が、「名称検索」Ｃ１が表示された選択ボタンＢ１をタッチした場合、タッチ入力による名称検索機能部１２１は、タッチ入力による名称検索を実行する。
【００２３】
図２（ｂ）に示す目的地設定メニュー画面Ａ２では、複数の選択ボタンＢ２〜Ｂ５が表示されている。選択ボタンＢ１に代えて選択ボタンＢ５が設けられ、この選択ボタンＢ５には、機能表示「音声による名称検索」Ｃ５，Ｃ１が表示されている。目的地設定メニュー画面Ａ２において、利用者が、「音声による名称検索」Ｃ５，Ｃ１が表示された選択ボタンＢ５をタッチした場合、音声による名称検索機能部１２２は、音声入力による名称検索を実行する。
【００２４】
また、別機能が提案される際には、目的地設定メニュー画面において、機能表示「名称検索」Ｃ１の上方に機能表示「音声による」Ｃ５を、「名称検索」Ｃ１より小さく表示する。これにより、利用者の戸惑いを軽減する。
【００２５】
次に、表示部１１０で実行する表示制御処理の手順について説明する。図３は、表示制御処理の手順を示すフローチャートである。図３に示す処理は、切替判断部１１２において実行される。ステップ１では、過去に別機能提案を実施したことがあるか否かを判定する。過去に別機能提案を実施したことがある場合には、処理を終了し、過去に別機能提案を実施したことがない場合には、ステップ２に進む。
【００２６】
ステップ２では、最近１ヶ月の利用頻度が２回以上であるか否かを判定する。最近１ヶ月の利用頻度が２回以上である場合にステップ３に進み、最近１ヶ月の利用頻度が２回未満である場合に処理を終了する。
【００２７】
ステップ３では、対象とする機能を選択するための選択ボタン（以下、「対象とする選択ボタン」という。）の利用が８回以上であるかを判定する。対象とする選択ボタンの利用が８回以上である場合にステップ４に進み、対象とする選択ボタンＢ１の利用が８回未満である場合に処理を終了する。ステップ４では、別機能提案を実施し、処理を終了する。
【００２８】
このような車載機１００では、利用頻度の高い選択ボタンＢ１〜Ｂ４を判定し、利用頻度の高い機能を判定することができ、利用頻度が高い選択ボタンＢ１に代えて、別機能を実行するための選択ボタンＢ５を表示することができる。利用者は、利用頻度が高い選択ボタンＢ１の配置場所を覚えていることが多く、選択動作がパターン化しており、習慣的にその位置にある選択ボタンＢ１を押してしまう傾向がある。この傾向を利用して、利用頻度の高い選択ボタンＢ１の配置場所に、推奨する機能を実行するための選択ボタンＢ５を配置することで、使ってもらいたい推奨機能を利用しやすくする。これにより、利用者は、利用頻度の高い選択ボタンＢ１を習慣的に押下することにより、さらに便利な別機能（推奨機能）を実行することができる。
【００２９】
単純に、利用頻度の高い選択ボタンＢ１，Ｂ５を置き換えるだけでは、突然、普段と異なる機能が実行され、利用者が戸惑ってしまうことがある。そこで、別機能を提案する際に、追加される機能表示Ｃ５を、利用頻度の高い機能表示Ｃ１の近傍に、小さく表示することで、利用者が戸惑いを感じることを防止する。
【００３０】
次に、別機能の提案する際に、利用者の戸惑いを低減させるための提示方法の変形例について説明する。図４及び図５は、別機能を提案する際の提示方法の変形例を示す図である。図４（ａ）に示す場合は、別機能が提案されたメニュー画面Ａ２を表示する際に、音声によって、メニュー画面Ａ２が変更となったことを報知する。スピーカ１３２を用いて、「音声による名称検索も便利です」との音声を出力する。
【００３１】
図４（ｂ）に示す場合は、別機能が提案されたメニュー画面Ａ２を表示する際に、音声によって、メニュー画面Ａ２が変更となったことを報知する。スピーカ１３２を用いて、「チャッチャチャン」などの効果音を出力する。
【００３２】
図４（ｃ）に示す場合は、別機能が提案されたメニュー画面を表示する際に、ＯＮＳによって、メニュー画面Ａ２が変更となったことを報知する。例えば、メニュー画面Ａ２上に、ＯＮＳによってメッセージ表示Ｄ（「音声名称検索も便利！」）を行う。
【００３３】
選択ボタンＢ１，Ｂ５を変更した後、利用者が変更後の選択ボタンＢ５にタッチした場合に、図５に示す方法で、別機能の提案に伴う画像表示の変化を提示する。図５（ａ）に示す場合は、別機能が提案されたメニュー画面Ａ２を表示した後に、元機能の画面（タッチ入力による名称検索機能画面）Ａ３を表示し、元機能の画面Ａ３をフェードアウトし、別機能画面（音声による名称入力画面）Ａ４をフェードインすることで、動画を用いて表現する。
【００３４】
図５（ｂ）に示す場合は、別機能画面Ａ４をスライドさせる動画を用いて表現することで、別機能の提案に伴う画像表示の変化を提示する。選択ボタンＢ１，Ｂ５を変更した後に、利用者が変更後の選択ボタンＢ５にタッチした場合に、元機能画面Ａ３を表示し、その上に別機能画面Ａ４をスライドインさせる。
【００３５】
以上、本発明をその実施形態に基づき具体的に説明したが、本発明は、上記実施形態に限定されるものではない。上記実施形態では、元の機能（利用頻度の高い機能）を「タッチ入力による名称検索」とし、紹介する機能（推奨機能）を「音声認識による名称検索」としているが、元の機能及び紹介する機能は、その他の機能であってもよい。
【００３６】
例えば、元の機能を「タッチ入力による名称検索」とし、紹介する機能を「オペレータによる目的地設定」としてもよい。また、元の機能を「周辺施設検索」とし、紹介する機能を「音声による最寄施設検索」としてもよい。
【００３７】
また、上記実施形態では、本発明の情報処理装置は、ナビゲーションシステムを有する車載機としているが、機能表示を有するその他の機器であってもよく、例えば、オーディオ機器や電話などに、本発明を適用してもよい。
【００３８】
例えば、オーディオ装置において、元の機能を「タッチ入力による曲検索」とし、紹介する機能を「音声認識による曲検索」としてもよい。また、電話などの通信機器において、元の機能を「タッチ入力による電話発信」とし、紹介する機能を「音声認識による電話発信」としてもよい。
【符号の説明】
【００３９】
１００…車載機（情報処理装置）、１１０…表示部（表示制御手段）、１１１…画面制御部、１１２…切替判断部、１１３…操作履歴ＤＢ（操作履歴記憶手段）、１１４…画像ＤＢ、１２０…ナビ機能部、１２１…タッチ入力による名称検索機能部、１２２…音声による名称検索機能部、１３０…デバイス部、１３１…ディスプレイ、１３２…スピーカ、１３３…マイク、Ａ１，Ａ２…目的地設定メニュー画面、Ｂ１〜Ｂ５…選択ボタン（操作部）、Ｃ１〜Ｃ５…機能表示。
【図１】
2010198088.tif 000003
【図２】
2010198088.tif 000004
【図３】
2010198088.tif 000005
【図４】
2010198088.tif 000006
【図５】
2010198088.tif 000007